(57)【特許請求の範囲】
【請求項１】
本体部と内周にテーパー部を有する締め付け部と把持爪を有するコレットとを具備し、本体部に締め付け部を締め付けるとコレットの把持爪が締め付け部の内周のテーパー部に接触して、コレットが締め付け部の内周のテーパー部に沿って縮径し、コレットが縮径し配管を略全周にわたって締め付け、締め付け時に配管が抜け出す方向に移動しようとするとさらに強く締め付けるようにし、前記締め付け部の締め付けが終了すると本体部に形成したバネ部が締め付け部の第一穴部に嵌合するようにし、バネ部が締め付け部の第一穴部に嵌合した位置から緩めてから第二穴部に嵌合するまでに、コレットの把持爪から配管が開放されうるようにしたことを特徴とする管継手。
【請求項２】
バネ部を第一穴部の外方から押すか締め付け部を無理に回さないと締め付け部が緩まないようにした請求項１記載の管継手。
【請求項３】
前記コレットの外周には凸部が形成され、コレットの外周の凸部が本体部の凹部に嵌合するようにした請求項１又は２記載の管継手。
【請求項４】
前記バネ部の形状は締め付け部を締めるときには抵抗がないようにした請求項１乃至３のいずれかに記載の管継手。
【発明の詳細な説明】
【０００１】
【発明の属する技術分野】
この発明は、流体の配管を接続するための管継手に関するものである。
【０００２】
【従来の技術】
従来より管継手として、配管を接続して固定するものがあった。
【０００３】
しかしこのものを使用すると、配管が抜け出す方向に移動しようとするとそのまま抜けてしまう場合があるという問題があった。
【０００４】
【発明が解決しようとする課題】
そこでこの発明は、従来よりも信頼性の高い保持性能をもった管継手を提供しようとするものである。
【０００５】
【課題を解決するための手段】
前記課題を解決するためこの発明では次のような技術的手段を講じている。
（1）この発明の管継手は、本体部と内周にテーパー部を有する締め付け部と把持爪を有するコレットとを具備し、本体部に締め付け部を締め付けるとコレットの把持爪が締め付け部の内周のテーパー部に接触して、コレットが締め付け部の内周のテーパー部に沿って縮径し、コレットが縮径し配管を略全周にわたって締め付け、締め付け時に配管が抜け出す方向に移動しようとするとさらに強く締め付けるようにし、前記締め付け部の締め付けが終了すると本体部に形成したバネ部が締め付け部の第一穴部に嵌合するようにし、バネ部が締め付け部の第一穴部に嵌合した位置から緩めてから第二穴部に嵌合するまでに、コレットの把持爪から配管が開放されうるようにしたことを特徴とする。
このように構成したので、配管を略全周にわたって締め付けることでほぼ均一な力で締め付ける為に安定した保持性能を保有し、配管が抜け出す方向に移動しようとするとさらに強く締め付けるので信頼性の高い保持性能を有する。
また、本体部に形成したバネ部が締め付け部の第一穴部に嵌合することによって、締め付け部の締め付けの終了が分かる。
さらに、バネ部が締め付け部の第一穴部に嵌合した位置から緩めてから第二穴部に嵌合するまでに、コレットの把持爪から配管が開放されうるようにすると、バネ部を第二穴部に嵌合させて配管を引き抜き、更に管継手を分解することもできる。
【０００６】
（2）バネ部を第一穴部の外方から押すか締め付け部を無理に回さないと締め付け部が緩まないようにしてもよい。このように構成すると、配管の接続が自然に緩んでくることはないという利点がある。
【０００７】
（3）前記コレットの外周には凸部が形成され、コレットの外周の凸部が本体部の凹部に嵌合するようにしてもよい。
このように構成すると、コレットの外周の凸部が本体部の凹部に嵌合することにより、コレットの脱落の防止を図ることができる。また、コレットの無用な回転を抑えることができる。なお、本体部の凹部は貫通していて孔部となっていてもよい。
【０００８】
（4）前記バネ部の形状は締め付け部を締めるときには抵抗がないようにしてもよい。このようにラチェット方式に構成すると、締め付け部を緩める際にバネ部を穴部に嵌合させるようにすることができるという利点がある。
【０００９】
【発明の実施の形態】
以下、この発明の実施の形態を図面を参照して説明する。
【００１０】
図１乃至図５に示すように、この実施形態の管継手は、流体の柔軟な配管１（ホース、チューブ等）を接続するためのものとしている。
【００１１】
この管継手は雄ネジ部２を有する本体部３と、内周に雌ネジ部４とテーパー部５を有する締め付け部６と、把持爪７を有するコレット８とを具備する。本体部３には、挿入内筒９を形成している。前記コレット８には複数のスリット１０を形成し、その外周の対称な２箇所には凸部１１を形成している。
【００１２】
本体部３に締め付け部６を締め付けると、コレット８の把持爪７が締め付け部６の内周のテーパー部５に接触して、コレット８が締め付け部６の内周のテーパー部５に沿って縮径するようにしている。
【００１３】
コレット８が縮径し配管１を略全周にわたって締め付け、締め付け時に配管１が抜け出す方向に移動しようとするとさらに強く締め付けるようにしている。すなわち締め付け部６を本体部３に対して締め付けると、コレット８の把持爪７の先端は近接しほぼ円形となり配管１の全周をほぼ均一な力で保持する。よって、配管１の肉厚の誤差の許容範囲に抗して配管１が抜け出す方向に移動しようとすると、コレット８は更に縮径して配管１はより強く締め付けられる。またコレット８は、管継手の繰返しの使用に対しても外れ難い。
【００１４】
コレット８の外周の凸部１１は、本体部３の凹部１２に嵌合するようにしている。なお本体部３の凹部１２は、貫通していて孔部となっていてもよい。
【００１５】
締め付け部６には、２つの位置決め穴を形成している。締めつけ位置と、開放位置である。図２に示すように、締め付け部６の締め付けが終了すると本体部３に形成したバネ部１３が締め付け部６の第一穴部１４に嵌合するようにしている。また、バネ部１３を第一穴部１４の外方から押すか締め付け部６を無理に回さないと、締め付け部６が緩まないようにしている。
【００１６】
図３に示すように、バネ部１３が締め付け部６の第一穴部１４に嵌合した位置から緩めてから第二穴部１５に嵌合するまでに、コレット８の把持爪７から配管１が開放されうるようにしている。前記バネ部１３の形状は、締め付け部６を締めるときには抵抗がないようにしている。
【００１７】
次に、この実施形態の管継手の使用状態を説明する。
【００１８】
この管継手では、配管１を略全周にわたって締め付けることでほぼ均一な力で締め付ける為に安定した保持性能を保有し、配管１が抜け出す方向に移動しようとするとさらに強く締め付けるので信頼性の高い保持性能を有するという利点がある。
【００１９】
また、本体部３に形成したバネ部１３が締め付け部６の第一穴部１４に嵌合することによって、締め付け部６の締め付けの終了が分かる。したがって締め付けが終了した時点を確認することができるという利点がある。
【００２０】
前記締め付け部６の締め付けが終了すると本体部３に形成したバネ部１３が締め付け部６の第一穴部１４に嵌合し、バネ部１３を第一穴部１４の外方から押すか締め付け部６を無理に回さないと締め付け部６が緩まないようにしたので、配管１の接続が自然に緩んでくることはないという利点がある。
【００２１】
バネ部１３が締め付け部６の第一穴部１４に嵌合した位置から緩めてから第二穴部１５に嵌合するまでに、コレット８の把持爪７から配管１が開放されうるようにしたので、バネ部１３を第二穴部１５に嵌合させて配管１を引き抜き、更に管継手を分解することもできる。よって全ての部材を分解して洗浄し再利用をすることができ、各部材に異種の材料を使用していたとしても分別廃棄することができる。
【００２２】
コレット８の外周の凸部１１が本体部３の凹部１２に嵌合することにより、コレット８の脱落の防止を図ることができ、また、コレット８の無用な回転を抑えることができる。
【００２３】
この嵌合の具合は、締め付け部６を開放位置にした状態では配管１を抜くときにコレット８も追随して配管１の抜き取りを阻害することはないが、締め付けた状態では配管１が抜け出す方向に移動しようとしたときに、さらに強く締め付ける程度の移動量があるように設定している。すなわち上記のように締め付け時に配管１が抜け出す方向に移動しようとするとさらに強く締め付けるようにするため、この実施形態では前記の移動量の設定などの構成を採用している。
【００２４】
前記バネ部１３の形状は締め付け部６を締めるときには抵抗がないようにラチェット方式にしたので、締め付け部６を緩める際にバネ部１３を穴部に嵌合させるようにすることができるという利点がある。
【００２５】
【発明の効果】
この発明は上述のような構成であり、次の効果を有する。
【００２６】
従来よりも信頼性の高い保持性能をもった管継手を提供することができる。
【図面の簡単な説明】
【図１】この発明の管継手の実施形態の分解斜視図。
【図２】図１の管継手の締め付け部の締め込み後の内部の構造を説明する半断面図。
【図３】図２の管継手から締め付け部を緩めた際の内部の構造を説明する半断面図。
【図４】図１の管継手の締め付け部の締め付け前のコレットの正面図。
【図５】図１の管継手の締め付け部の締め付け後のコレットの正面図。
【符号の説明】
３  本体部
５  テーパー部
６  締め付け部
７  把持爪
８  コレット
１１  凸部
１２  凹部
１３  バネ部
１４  第一穴部
１５  第二穴部
【図１】
0003543215.tif 000002
【図２】
0003543215.tif 000003
【図３】
0003543215.tif 000004
【図４】
0003543215.tif 000005
【図５】
0003543215.tif 000006